(57)【特許請求の範囲】
【請求項１】
複数の既設ガイドレールの一部である既設ガイドレール一部を昇降路の壁から取り外す既設ガイドレール一部取外工程と、
前記既設ガイドレール一部取外工程の後、前記既設ガイドレール一部取外工程において前記昇降路の壁に取り残された前記既設ガイドレールの残部である既設ガイドレール残部に沿って昇降する仮設昇降体を設置する仮設昇降体設置工程と、
前記仮設昇降体設置工程の後、ピットに置かれた既設エレベータ機器を前記仮設昇降体に載せ、前記仮設昇降体を前記既設ガイドレール残部に沿って上昇させる既設エレベータ機器搬出工程と
を備えたエレベータ機器搬出入方法。
【請求項２】
前記既設エレベータ機器搬出工程で前記仮設昇降体に載せられる前記既設エレベータ機器には、前記既設ガイドレール一部取外工程で前記昇降路の壁から取り外された前記既設ガイドレール一部が含まれる請求項１に記載のエレベータ機器搬出入方法。
【請求項３】
前記仮設昇降体設置工程では、前記仮設昇降体を昇降させるための揚重装置を前記既設ガイドレール残部における前記搬出階乗場よりも上方の部分に設置する請求項１または請求項２に記載のエレベータ機器搬出入方法。
【請求項４】
前記既設エレベータ機器搬出工程の後、新設エレベータ機器を前記仮設昇降体に載せ、前記仮設昇降体を前記既設ガイドレール残部に沿って下降させる新設エレベータ機器搬入工程をさらに備えた請求項１から請求項３までの何れか一項に記載のエレベータ機器搬出入方法。
【請求項５】
前記新設エレベータ機器搬入工程の後、前記既設ガイドレール一部取外工程において前記昇降路の壁に取り残された前記既設ガイドレール残部を前記昇降路の壁から取り外す既設ガイドレール残部取外工程と、
前記新設エレベータ機器搬入工程の後、前記新設エレベータ機器に含まれる新設ガイドレールを前記昇降路の壁に取り付ける新設ガイドレール取付工程と、
前記既設ガイドレール残部取外工程および前記新設ガイドレール取付工程の後、前記既設ガイドレール残部を前記仮設昇降体に載せ、前記仮設昇降体を前記新設ガイドレールに沿って上昇させる既設ガイドレール残部搬出工程と
をさらに備えた請求項４に記載のエレベータ機器搬出入方法。
【請求項６】
ガイドレールに沿って昇降する仮設昇降体と、
前記ガイドレールにおける搬出階乗場よりも上方の部分に設けられ、前記仮設昇降体を昇降させる揚重装置と
を備えたエレベータ機器搬出入装置。
【発明の詳細な説明】
【技術分野】
【０００１】
この発明は、エレベータ機器を昇降路に対して搬出入するエレベータ機器搬出入方法およびエレベータ機器搬出入装置に関する。
【背景技術】
【０００２】
従来、昇降路の底面に固定された固定治具と、固定治具とかご枠の下梁とに渡って巻かれたベルトとを用いて、かごと昇降路とを連結した状態で、既設かごパネルを昇降路から搬出し、その後、新設かごパネルを昇降路に搬入するエレベータ機器搬出入方法が知られている（例えば、特許文献１参照）。
【先行技術文献】
【特許文献】
【０００３】
【特許文献１】特開２０００−１６９０６１号公報
【発明の概要】
【発明が解決しようとする課題】
【０００４】
しかしながら、かごおよびつり合い重りを含む既設エレベータ機器を新設エレベータ機器に交換する場合には、既設エレベータ機器をピットに置いた後に、作業者が既設エレベータ機器を最下階乗場に搬出し、さらに、作業者が既設エレベータ機器を最下階乗場から搬出階乗場まで階段を用いて移動させなければならず、既設エレベータ機器の搬出の作業効率が悪いという問題点があった。
【０００５】
この発明は、既設エレベータ機器の搬出の作業効率を向上させることができるエレベータ機器搬出入方法およびエレベータ機器搬出入装置を提供するものである。
【課題を解決するための手段】
【０００６】
この発明に係るエレベータ機器搬出入方法は、複数の既設ガイドレールの一部である既設ガイドレール一部を昇降路の壁から取り外す既設ガイドレール一部取外工程と、既設ガイドレール一部取外工程の後、既設ガイドレール一部取外工程において昇降路の壁に取り残された既設ガイドレールの残部である既設ガイドレール残部に沿って昇降する仮設昇降体を設置する仮設昇降体設置工程と、仮設昇降体設置工程の後、ピットに置かれた既設エレベータ機器を仮設昇降体に載せ、仮設昇降体を既設ガイドレール残部に沿って上昇させる既設エレベータ機器搬出工程とを備えている。
【発明の効果】
【０００７】
この発明に係るエレベータ機器搬出入方法によれば、ピットに置かれた既設エレベータ機器を仮設昇降体に載せ、仮設昇降体を既設ガイドレール残部に沿って上昇させるので、既設エレベータ機器の搬出の作業効率を向上させることができる。
【図面の簡単な説明】
【０００８】
【図１】この発明の実施の形態１に係るエレベータ機器搬出入装置を示す正面図である。
【図２】図１の仮設昇降体を示す拡大図である。
【図３】図２の上部ガイドローラを示す平面図である。
【図４】図１のエレベータ機器搬出入装置を示す側面図である。
【図５】図１の仮設昇降体が上昇した状態を示す正面図である。
【図６】図４のＶＩ−ＶＩ線に沿った矢視断面図である。
【図７】図４の仮設昇降体本体を示す縦断面図である。
【図８】図７の前壁が変位した状態を示す縦断面図である。
【図９】図１のエレベータ機器搬出入装置を用いて昇降路に搬出入されるエレベータ機器を示す平面図である。
【図１０】図１のエレベータ機器搬出入装置を用いてエレベータ機器を昇降路に対して搬出入する方法を示すフローチャートである。
【発明を実施するための形態】
【０００９】
実施の形態１．
図１はこの発明の実施の形態１に係るエレベータ機器搬出入装置を示す正面図である。図において、エレベータ機器搬出入装置は、ガイドレール３０１に沿って昇降路３０２を昇降する仮設昇降体１と、ガイドレール３０１における搬出階乗場３０３よりも上方の部分に設けられ、仮設昇降体１を昇降させる揚重装置であるウインチ２とを備えている。この例では、搬出階は、１階となっている。搬出階とピット３０４との間には、地下１階が設けられている。ガイドレール３０１は、高さ方向に延びて配置されている。仮設昇降体１が設置される前のガイドレール３０１は、ピット３０４から最上階乗場よりも上方の位置まで延びるように配置される。
【００１０】
図２は図１の仮設昇降体１を示す拡大図である。仮設昇降体１は、箱形状の仮設昇降体本体１１と、仮設昇降体本体１１の上部に設けられ、ガイドレール３０１に沿って仮設昇降体本体１１を案内する上部ガイドローラ１２と、仮設昇降体本体１１の下部に設けられ、ガイドレール３０１に沿って仮設昇降体本体１１を案内する下部ガイドローラ１３とを有している。
【００１１】
図３は図２の上部ガイドローラ１２を示す平面図である。ガイドレール３０１は、昇降路３０２の壁に沿って設けられる板形状の基部３０５と、基部３０５に設けられ、昇降路３０２の壁から離れる方向に基部３０５から突出するレール部３０６とを有している。ガイドレール３０１は、図示しないブラケットを介して昇降路３０２の壁に固定されている。
【００１２】
上部ガイドローラ１２は、レール部３０６の幅方向一方面を転動する第１ローラ１２１と、レール部３０６の幅方向他方面を転動する第２ローラ１２２と、レール部３０６の頂部を転動する第３ローラ１２３と、仮設昇降体本体１１に固定され、第１ローラ１２１、第２ローラ１２２および第３ローラ１２３を回転自在に支持するローラ支持部１２４とを有している。第１ローラ１２１および第２ローラ１２２がレール部３０６を幅方向に挟むことによって、仮設昇降体１が幅方向に移動することが規制される。なお、図示していないが、下部ガイドローラ１３は、上部ガイドローラ１２と同様の構成となっている。
【００１３】
図４は図１のエレベータ機器搬出入装置を示す側面図である。ウインチ２は、ウインチ本体２１と、ガイドレール３０１に固定され、ウインチ本体２１を支持するウインチ支持部２２と、ウインチ本体２１に巻かれたワイヤ２３とを有している。ウインチ本体２１は、搬出階乗場３０３よりも上方に配置されている。ワイヤ２３の先端部は、仮設昇降体本体１１の上部におけるガイドレール３０１から最も離れた部分に接続されている。したがって、ワイヤ２３は、上方に向かうにつれてガイドレール３０１に近づくように水平面に対して傾いて配置される。ウインチ本体２１がワイヤ２３を巻き上げると、仮設昇降体１には、上方向の力と、ガイドレール３０１に近づく方向の力が作用する。ガイドレール３０１に近づく方向への力が仮設昇降体１に作用することによって、仮設昇降体１がガイドレール３０１から離れる方向に移動することが規制される。
【００１４】
図５は図１の仮設昇降体１が上昇した状態を示す正面図である。ウインチ２の駆動によって、仮設昇降体１は、ピット３０４と搬出階乗場３０３との間を移動する。仮設昇降体１は、仮設昇降体１が昇降する場合にガイドレール３０１に案内されるので、水平方向への移動が規制される。これにより、仮設昇降体１が昇降する際に、仮設昇降体１が昇降路３０２の壁またはこの壁に取り付けられている部材に衝突することが防止される。
【００１５】
図６は図４のＶＩ−ＶＩ線に沿った矢視断面図である。ウインチ支持部２２の下面には、ガイドレール３０１の上端部が嵌められるＴ字状の溝２２１が形成されている。溝２２１にガイドレール３０１の上端部が嵌められるようにウインチ支持部２２をガイドレール３０１の上端部に載せることによって、ウインチ支持部２２がガイドレール３０１に固定される。
【００１６】
図７は図４の仮設昇降体本体１１を示す縦断面図である。仮設昇降体本体１１は、エレベータ機器が載せられる床部１１１と、床部１１１に立てられた側壁１１２と、昇降路３０２の壁の中で搬出階乗場３０３が形成されている壁に面する前壁１１３とを有している。前壁１１３の下端部は、蝶番を介して床部１１１に取り付けられている。
【００１７】
図８は図７の前壁１１３が変位した状態を示す縦断面図である。前壁１１３は、床部１１１から上方の延びる起立位置と、床部１１１から水平方向に延びる平伏位置との間で変位する。前壁１１３の位置が平伏位置である場合に、前壁１１３の上面は、床部１１１の上面と同一平面上に配置される。仮設昇降体本体１１が搬出階乗場３０３に隣り合う状態で、前壁１１３の位置が平伏位置である場合に、前壁１１３は、床部１１１と搬出階乗場３０３とに渡って配置される。これにより、作業者は、仮設昇降体本体１１と搬出階乗場３０３との間でエレベータ機器を容易に移動させることができる。
【００１８】
次に、エレベータ機器搬出入方法について説明する。図９は図１のエレベータ機器搬出入装置を用いて昇降路３０２に搬出入されるエレベータ機器を示す平面図である。この例では、エレベータ機器として、かご３０７、つり合い重り３０８、かご用ガイドレール３０９およびつり合い重り用ガイドレール３１０を例に説明する。したがって、既設エレベータ機器には、既設のかご３０７、既設のつり合い重り３０８、既設のかご用ガイドレール３０９および既設のつり合い重り用ガイドレール３１０が含まれ、新設エレベータ機器には、新設のかご３０７、新設のつり合い重り３０８、新設のかご用ガイドレール３０９および新設のつり合い重り用ガイドレール３１０が含まれる。なお、エレベータ機器には、これら以外にも、例えば、緩衝器、エレベータ制御盤または巻上機などが含まれてもよい。
【００１９】
以下、既設エレベータ機器を昇降路３０２から搬出し、新設エレベータ機器を昇降路３０２に搬入する方法について説明する。図１０は図１のエレベータ機器搬出入装置を用いてエレベータ機器を昇降路３０２に対して搬出入する方法を示すフローチャートである。まず、既設のかご３０７を利用して、仮設昇降体１を搬出階乗場３０３からピット３０４に搬入する（仮設昇降体搬入工程）（ステップＳ１０１）。その後、既設のかご３０７および既設のつり合い重り３０８を解体して、解体された既設のかご３０７および既設のつり合い重り３０８をピット３０４に置く（既設かごつり合い重り解体工程）（ステップＳ１０２）。
【００２０】
その後、複数の既設ガイドレールの一部である既設ガイドレール一部を昇降路３０２の壁から取り外す（既設ガイドレール一部取外工程）（ステップＳ１０３）。この例の既設ガイドレール一部取外工程では、２本の既設のかご用ガイドレール３０９の中の１本と、２本の既設のつり合い重り用ガイドレール３１０の両方とを昇降路３０２の壁から取り外す。また、この例の既設ガイドレール一部取外工程では、昇降路３０２の壁に取り残される既設のかご用ガイドレール３０９の中で、搬出階乗場３０３から所定の高さ、具体的には、例えば、２ｍの高さよりも上方の部分も、昇降路３０２の壁から取り外す。したがって、既設ガイドレール一部取外工程において昇降路３０２の壁に取り残される既設のガイドレールの残部である既設ガイドレール残部は、ピット３０４と搬出階乗場３０３から所定の高さの位置との間に配置されたかご用ガイドレール３０９の部分となる。言い換えれば、既設ガイドレール一部取外工程において昇降路３０２の壁から取り外される既設のガイドレールの一部である既設ガイドレール一部は、１本の既設のかご用ガイドレール３０９と、残りの既設のかご用ガイドレール３０９における搬出階乗場３０３から所定の高さの位置よりも上方に配置された部分と、２本の既設のつり合い重り用ガイドレール３１０となる。昇降路３０２の壁から取り外された既設ガイドレール一部は、ピット３０４に置かれる。かご、既設ガイドレール一部取外工程において昇降路３０２の壁に取り残される既設ガイドレールは、つり合い重り用ガイドレール３１０であってもよい。
【００２１】
その後、仮設昇降体１を既設ガイドレール残部に設置する（仮設昇降体設置工程）（ステップＳ１０４）。仮設昇降体設置工程では、既設ガイドレール残部の上端部にウインチ２を取り付ける。これにより、ウインチ２は、既設ガイドレール残部における搬出階乗場３０３よりも上方の部分に設置される。仮設昇降体設置工程では、既設ガイドレール残部における上端部が搬出階乗場３０３から所定の高さにある場合には、既設ガイドレール残部の上端部がウインチ支持部２２の溝２２１に嵌められるようにウインチ支持部２２を既設ガイドレール残部の上端部に載せる。一方、既設ガイドレール残部における上端部が搬出階乗場３０３から所定の高さよりも上方にある場合には、既設ガイドレール残部の上端部の位置が搬出階乗場３０３から所定の高さの位置となるように既設ガイドレール残部を切断した後に、既設ガイドレール残部の上端部が溝２２１に嵌められるようにウインチ支持部２２を既設ガイドレール残部の上端部に載せたり、または、既設ガイドレール残部を切断せずに、既設ガイドレール残部における搬出階乗場３０３から所定の高さにある部分にレールクリップを用いてウインチ支持部２２を固定したりする。なお、ウインチ２は、既設ガイドレール残部の上端部に限らず、例えば、ピット３０４に固定してもよい。この場合、既設ガイドレール残部の上端部には、ワイヤ２３が巻き掛けられる滑車が設置される。
【００２２】
その後、ピット３０４に置かれた既設エレベータ機器を仮設昇降体１に載せ、ウインチ２を駆動させて、既設エレベータ機器が搬出階乗場３０３に達するまで仮設昇降体１を既設ガイドレール残部に沿って上昇させる（既設エレベータ機器搬出工程）（ステップＳ１０５）。なお、既設エレベータ機器搬出工程では、搬出される既設ガイドレール一部を搬出し易い長さに切断してもよい。
【００２３】
その後、新設エレベータ機器を仮設昇降体１に載せ、新設エレベータ機器がピット３０４に達するまで仮設昇降体１を既設ガイドレール残部に沿って下降させる（新設エレベータ機器搬入工程）（ステップＳ１０６）。
【００２４】
その後、既設ガイドレール一部取外工程において昇降路３０２の壁に取り残された既設ガイドレール残部を昇降路３０２の壁から取り外す（既設ガイドレール残部取外工程）（ステップＳ１０７）。
【００２５】
その後、新設エレベータ機器に含まれる新設ガイドレールを昇降路３０２の壁に取り付ける（新設ガイドレール取付工程）（ステップＳ１０８）。新設ガイドレールには、新設のかご用ガイドレール３０９および新設のつり合い重り用ガイドレール３１０が含まれる。新設ガイドレールが取り付けられる位置は、既設ガイドレールが取り付けられる位置と同一の位置であってもよく、また、既設ガイドレールが取り付けられる位置と異なる位置であってもよい。
【００２６】
その後、既設ガイドレール残部を仮設昇降体１に載せ、既設ガイドレール残部が搬出階乗場３０３に達するまで仮設昇降体１を新設ガイドレールに沿って昇降させる（既設ガイドレール残部搬出工程）（ステップＳ１０９）。
【００２７】
その後、新設のかご３０７および新設のつり合い重り３０８を昇降路３０２に設置する（新設かごつり合い重り設置工程）（ステップＳ１１０）。その後、仮設昇降体１を新設ガイドレールから撤去する（仮設昇降体撤去工程）（ステップＳ１１１）。その後、新設のかご３０７を利用して、仮設昇降体１をピット３０４から搬出階乗場３０３に搬出する（仮設昇降体搬出工程）（ステップＳ１１２）。以上により、エレベータ機器搬出入方法が終了する。
【００２８】
以上説明したように、この発明の実施の形態１に係るエレベータ機器搬出入方法によれば、既設ガイドレール一部を昇降路３０２の壁から取り外す既設ガイドレール一部取外工程と、既設ガイドレール一部取外工程の後、既設ガイドレール残部に沿って昇降する仮設昇降体１を設置する仮設昇降体設置工程と、仮設昇降体設置工程の後、ピット３０４に置かれた既設エレベータ機器を仮設昇降体１に載せ、仮設昇降体１を既設ガイドレール残部に沿って上昇させる既設エレベータ機器搬出工程とを備えているので、既設エレベータ機器の搬出の作業効率を向上させることができる。また、仮設昇降体１が既設ガイドレール残部に沿って上昇するので、仮設昇降体１が上昇する際に仮設昇降体１が水平方向に揺れることを抑制することができる。また、仮設昇降体１を案内するガイドレールを新たに設置する必要がないので、既設エレベータ機器の搬出の作業効率を向上させることができる。
【００２９】
また、既設エレベータ機器搬出工程で仮設昇降体１に載せられる既設エレベータ機器には、既設ガイドレール一部取外工程で昇降路３０２の壁から取り外された既設ガイドレール一部が含まれるので、既設ガイドレールの搬出の作業効率を向上させることができる。
【００３０】
また、仮設昇降体設置工程では、仮設昇降体１を昇降させるためのウインチ２を既設ガイドレール残部における搬出階乗場３０３よりも上方の部分に設置するので、簡単な構成で、仮設昇降体１をピット３０４から搬出階乗場３０３にまで上昇させることができる。
【００３１】
また、このエレベータ機器搬出入方法は、既設エレベータ機器搬出工程の後、新設エレベータ機器を仮設昇降体１に載せ、仮設昇降体１を既設ガイドレール残部に沿って下降させる新設エレベータ機器搬入工程をさらに備えているので、新設エレベータ機器の搬入の作業効率を向上させることができる。
【００３２】
また、このエレベータ機器搬出入方法は、新設エレベータ機器搬入工程の後、既設ガイドレール残部を昇降路３０２の壁から取り外す既設ガイドレール残部取外工程と、新設エレベータ機器搬入工程の後、新設エレベータ機器に含まれる新設ガイドレールを昇降路３０２の壁に取り付ける新設ガイドレール取付工程と、既設ガイドレール残部取外工程および新設ガイドレール取付工程の後、既設ガイドレール残部を仮設昇降体１に載せ、仮設昇降体１を新設ガイドレールに沿って上昇させる既設ガイドレール残部搬出工程とをさらに備えているので、既設エレベータ機器の搬出の作業効率を向上させることができる。
【００３３】
また、この発明の実施の形態１に係るエレベータ機器搬出入装置によれば、ガイドレール３０１に沿って昇降する仮設昇降体１と、ガイドレール３０１における搬出階乗場３０３よりも上方の部分に設けられ、仮設昇降体１を昇降させるウインチ２とを備えているので、既設エレベータ機器の搬出の作業効率を向上させることができる。
【００３４】
なお、上記実施の形態１では、仮設昇降体１が箱形状の仮設昇降体本体１１を有する構成について説明したが、板形状の仮設昇降体本体１１を有する構成であってもよい。また、仮設昇降体１は、箱形状の仮設昇降体本体１１に対して出し入れされる台車をさらに有した構成であってもよい。これにより、エレベータ機器を台車に載せた状態で台車を仮設昇降体本体１１に対して出し入れすることによって、エレベータ機器を容易に仮設昇降体本体１１に対して出し入れすることができる。また、仮設昇降体１は、仮設昇降体本体１１に回転自在に設けられたキャスタをさらに有してもよい。これにより、キャスタが搬出階乗場３０３を転動するように仮設昇降体１を搬出階乗場３０３に配置した場合に、仮設昇降体１を容易に移動させることができる。
【００３５】
また、上記実施の形態１では、１本のガイドレールに仮設昇降体１を設置する構成について説明したが、２本のガイドレールに渡って仮設昇降体１を設置する構成であってもよい。この場合、仮設昇降体１の水平方向の移動をより確実に抑制することができる。
【００３６】
また、上記実施の形態１では、揚重装置としてウインチ２を例に説明したが、ホイストまたはチェーンブロックなどの揚重装置であってもよい。
【００３７】
また、上記実施の形態１では、ウインチ支持部２２がガイドレール３０１に固定される構成について説明したが、ウインチ支持部２２が、ガイドレール３０１を昇降路３０２の壁に固定するブラケットに固定される構成であってもよい。
【符号の説明】
【００３８】
１  仮設昇降体、２  ウインチ、１１  仮設昇降体本体、１２  上部ガイドローラ、１３  下部ガイドローラ、２１  ウインチ本体、２２  ウインチ支持部、２３  ワイヤ、１１１  床部、１１２  側壁、１１３  前壁、１２１  第１ローラ、１２２  第２ローラ、１２３  第３ローラ、１２４  ローラ支持部、２２１  溝、３０１  ガイドレール、３０２  昇降路、３０３  搬出階乗場、３０４  ピット、３０５  基部、３０６  レール部、３０７  かご、３０８  つり合い重り、３０９  かご用ガイドレール、３１０  つり合い重り用ガイドレール。
【図１】
0006525328.tif 000002
【図２】
0006525328.tif 000003
【図３】
0006525328.tif 000004
【図４】
0006525328.tif 000005
【図５】
0006525328.tif 000006
【図６】
0006525328.tif 000007
【図７】
0006525328.tif 000008
【図８】
0006525328.tif 000009
【図９】
0006525328.tif 000010
【図１０】
0006525328.tif 000011